(57)【要約】【課題】  紙葉類が多くなった場合においても、紙葉類の加重に十分耐えることが可能な紙葉類綴じ込みファイルを提供することにある【解決手段】  本考案の紙葉類綴じ込みファイル１は、表表紙１０の第１延設部１２には第１被係止部１５が設けられ、裏表紙２０の他端側には複数の第１係止部２５が設けられている。したがって、第１係止部２５と第１被係止部１５とを係止させて、互いに分離している表表紙１０と裏表紙２０とを完全に固定することができる。これにより、紙葉類が厚くなり加重が加わった場合においても表表紙１０と裏表紙２０とが分離することを防止できる。【選択図】  図１
0003106191.tif 000002
【実用新案登録請求の範囲】
【請求項１】
互いに分離した第１綴じ元部を有する表表紙と第２綴じ元部を有する裏表紙とを組み合わすことによって形成される紙葉類綴じ込みファイルであって、
前記表表紙は前記第１綴じ元部から伸張された第１延設部を有し、前記裏表紙の一端には前記第１延設部を挿入可能な輪状部を形成し、
前記第１延設部及び裏表紙の他端の何れか一方には第１係止部が設けられ、他方には前記輪状部に挿入された前記第１延設部を係脱自在とする第１被係止部が設けられている
ことを特徴とする紙葉類綴じ込みファイル。
【請求項２】
互いに分離した第１綴じ元部を有する表表紙と第２綴じ元部を有する裏表紙とを組み合わすことによって形成される紙葉類綴じ込みファイルであって、
前記表表紙は前記第１綴じ元部から伸張された第１延設部を有し、前記裏表紙の一端には前記第１延設部を挿入可能な輪状部を形成し、
前記第１延設部及び裏表紙の他端の何れか一方には第１係止部が設けられ、他方には前記輪状部に挿入された前記第１延設部を係脱自在とする第１被係止部が設けられ、且つ、
前記第１綴じ元部または前記第２綴じ元部は、綴じ紐を挿入する挿入孔を備え、
前記綴じ紐と前記第１綴じ元部若しくは前記第２綴じ元部の一方には第２係止部が設けられ、他方には前記挿入孔に挿入された綴じ紐を係脱自在とする第２被係止部が設けられている
ことを特徴とする紙葉類綴じ込みファイル。
【請求項３】
互いに分離した第１綴じ元部を有する表表紙と第２綴じ元部を有する裏表紙とを組み合わすことによって形成される紙葉類綴じ込みファイルであって、
前記第１綴じ元部または前記第２綴じ元部は、綴じ紐を挿入する挿入孔を備え、
前記綴じ紐と前記第１綴じ元部若しくは前記第２綴じ元部の一方には第２係止部が設けられ、他方には前記挿入孔に挿入された綴じ紐を係脱自在とする第２被係止部が設けられている
ことを特徴とする紙葉類綴じ込みファイル。
【請求項４】
前記裏表紙の他端とは、前記第２綴じ元部側に折り返し可能な第２延設部である
ことを特徴とする請求項１または請求項２記載の紙葉類綴じ込みファイル。
【請求項５】
前記第１係止部及び第２係止部は凸部で構成され、
前記第１被係止部及び第２被係止部は、凹部又は貫通孔で構成されている
ことを特徴とする請求項１乃至請求項４いずれか記載の紙葉類綴じ込みファイル。
【請求項６】
前記第１係止部及び第２係止部と前記第１被係止部及び第２被係止部は、互いに噛み合う無数の鉤と輪とで構成された面ファスナーである
ことを特徴とする請求項１乃至請求項４いずれか記載の紙葉類綴じ込みファイル。
【請求項７】
前記表表紙は、背表紙を保持可能な光透過性のフィルムを貼り付けた背表紙部を有する
ことを特徴とする請求項１乃至請求項６いずれか記載の紙葉類綴じ込みファイル。
【請求項８】
前記背表紙部は、複数の手指状の窪みを有する
ことを特徴とする請求項７記載の紙葉類綴じ込みファイル。
【請求項９】
廃プラスチックをリサイクル利用した素材により成形した
ことを特徴とする請求項１乃至請求項８にいずれか記載の紙葉類綴じ込みファイル。
【請求項１０】
導電性を付与するための材料を練り込んだ素材により成形した
ことを特徴とする請求項１乃至請求項９にいずれか記載の紙葉類綴じ込みファイル。
【請求項１１】
着色した材料により成形した
ことを特徴とする請求項１乃至請求項１０にいずれか記載の紙葉類綴じ込みファイル。
【請求項１２】
前記第１綴じ元部または前記第２綴じ元部は、前記綴じ紐の長さを調整するための綴じ紐調整部を有し、
前記綴じ紐は、前記第１綴じ元部または前記第２綴じ元部から綴じ紐調整部まで何度も長さを調節可能とした
ことを特徴とする請求項２または請求項３記載の紙葉類綴じ込みファイル。
【考案の詳細な説明】
【技術分野】
【０００１】
本考案は、紙葉類の綴じ込みを行う分野において、書類の量に応じてファイルの厚さを調整可能とする紙葉類綴じ込みファイルに関する。
【背景技術】
【０００２】
従来より、綴じ込まれる紙葉類の増加した場合に対応することができる紙葉類綴じ込みファイル（以下、ファイルという）として、例えば特許文献１に記載されたものが知られている。このファイルは、表表紙と裏表紙と背表紙部とから構成され、表表紙と裏表紙はそれぞれ袋部を有し、背表紙部の両端部がその袋部に収納できる構造となっている。これにより、綴じ紐を用いて綴じられる紙葉類の量が増えると、表表紙と裏表紙の袋部に収納されていた背表紙部の両端部が引き出されるので、綴じ込まれる紙葉類の増加した場合に対応することができ、且つ紙葉類が増加しても背表紙部に保持された背表紙が左右対称に現れることができる。
【特許文献１】特開平８−１７５０６５号公報
【考案の開示】
【考案が解決しようとする課題】
【０００３】
しかしながら、特許文献１記載のファイルは、紙葉類が多くなった場合にその加重を綴じ紐のみが支えることになる。したがって、綴じ紐の留め機構が甘いと、その加重に耐えきれず綴じ紐が紙葉類から抜けてしまうおそれがある。
【０００４】
本考案は、上記事情に鑑みてなされたものであり、その目的とするところは、紙葉類が多くなった場合においても、紙葉類の加重に十分耐えることが可能な紙葉類綴じ込みファイルを提供することにある。
【課題を解決するための手段】
【０００５】
上記目的を達成するために、請求項１の紙葉類綴じ込みファイルは、互いに分離した第１綴じ元部を有する表表紙と第２綴じ元部を有する裏表紙とを組み合わすことによって形成される紙葉類綴じ込みファイルであって、表表紙は第１綴じ元部から伸張された第１延設部を有し、裏表紙の一端には第１延設部を挿入可能な輪状部を形成し、第１延設部及び裏表紙の他端の何れか一方には第１係止部が設けられ、他方には輪状部に挿入された第１延設部を係脱自在とする第１被係止部が設けられている構成となっている。
【０００６】
請求項１によれば、表表紙は第１綴じ元部から伸張された第１延設部を有し、裏表紙は一端が第１延設部を挿入可能な輪状部を形成している。これにより、表表紙の第１延設部を裏表紙に形成された輪上部に挿入するだけで、互いに分離している表表紙と裏表紙とを一体に組み合わす状態まで簡単に誘導できる。
【０００７】
また、表表紙の第１延設部と裏表紙の他端の何れか一方には第１係止部が設けられ、他方には輪状部に挿入された第１延設部を係脱自在とする第１被係止部が設けられている。したがって、第１係止部と第１被係止部とを係止させることにより、互いに分離している表表紙と裏表紙とを完全に固定することができるので、紙葉類が厚くなり加重が加わった場合に表表紙と裏表紙とが分離してしまうことを防止できる。
【０００８】
また、請求項２の紙葉類綴じ込みファイルは、互いに分離した第１綴じ元部を有する表表紙と第２綴じ元部を有する裏表紙とを組み合わすことによって形成される紙葉類綴じ込みファイルであって、表表紙は第１綴じ元部から伸張された第１延設部を有し、裏表紙の一端には第１延設部を挿入可能な輪状部を形成し、第１延設部及び裏表紙の他端の何れか一方には第１係止部が設けられ、他方には輪状部に挿入された第１延設部を係脱自在とする第１被係止部が設けられ、且つ、第１綴じ元部または第２綴じ元部は、綴じ紐を挿入する挿入孔を備え、綴じ紐と第１綴じ元部若しくは第２綴じ元部の一方には第２係止部が設けられ、他方には挿入孔に挿入された綴じ紐を係脱自在とする第２被係止部が設けられている構成となっている。
【０００９】
請求項２によれば、表表紙は第１綴じ元部から伸張された第１延設部を有し、裏表紙は一端が第１延設部を挿入可能な輪状部を形成している。これにより、表表紙の第１延設部を裏表紙に形成された輪上部に挿入するだけで、互いに分離している表表紙と裏表紙とを一体に組み合わす状態まで簡単に誘導できる。
【００１０】
また、表表紙の第１延設部及び裏表紙の他端の何れか一方には第１係止部が設けられ、他方には輪状部に挿入された第１延設部を係脱自在とする第１被係止部が設けられている。また、第１綴じ元部または第２綴じ元部は、綴じ紐を挿入する挿入孔を備え、綴じ紐と第１綴じ元部若しくは第２綴じ元部の一方には第２係止部が設けられ、他方には挿入孔に挿入された綴じ紐を係脱自在とする第２被係止部が設けられている。したがって、第１係止部と第１被係止部とを係止させることにより、互いに分離している表表紙と裏表紙とを完全に固定することができるので、紙葉類が厚くなり加重が加わった場合に表表紙と裏表紙とが分離してしまうことを防止でき、且つ、第２係止部と第２被係止部とを係止させることにより、綴じ紐と第１綴じ元部若しくは第２綴じ元部とを完全に固定することができるので、紙葉類が厚くなり加重が加わった場合に綴じ紐から紙葉類が抜け落ちてしまうことを防止できる。
【００１１】
また、請求項３の紙葉類綴じ込みファイルは、互いに分離した第１綴じ元部を有する表表紙と第２綴じ元部を有する裏表紙とを組み合わすことによって形成される紙葉類綴じ込みファイルであって、第１綴じ元部または第２綴じ元部は、綴じ紐を挿入する挿入孔を備え、綴じ紐と第１綴じ元部若しくは第２綴じ元部の一方には第２係止部が設けられ、他方には挿入孔に挿入された綴じ紐を係脱自在とする第２被係止部が設けられている構成となっている。
【００１２】
請求項３によれば、第１綴じ元部または第２綴じ元部は、綴じ紐を挿入する挿入孔を備え、綴じ紐と第１綴じ元部若しくは第２綴じ元部の一方には第２係止部が設けられ、他方には挿入孔に挿入された綴じ紐を係脱自在とする第２被係止部が設けられている。したがって、第２係止部と第２被係止部とを係止させることにより、綴じ紐と第１綴じ元部若しくは第２綴じ元部とを完全に固定することができるので、紙葉類が厚くなり加重が加わった場合に綴じ紐から紙葉類が抜け落ちてしまうことを防止できる。
【００１３】
尚、請求項１または請求項２記載の紙葉類綴じ込みファイルは、第１係止部と第１被係止部の係止する位置を適宜選択すれば、綴じ込む紙葉類の厚さに応じてファイルの厚さを適宜変化させることができる。また、第１係止部または第１被係止部の何れか一方を、裏表紙の他端であり、且つ第２綴じ元部側に折り返し可能な第２延設部に設けても良い（請求項４）。この場合、薄い素材から形成されたファイルであっても、裏表紙の他端を第２綴じ元部側に折り返すことで、強度を持たせることができる。
【００１４】
また、請求項１乃至請求項４いずれか記載の第１係止部及び第２係止部は凸部で構成され、且つ第１被係止部及び第２被係止部は、凹部又は貫通孔で構成されていることが好ましい（請求項５）。また、第１係止部及び第２係止部と第１被係止部及び第２被係止部は、互いに噛み合う無数の鉤と輪とで構成された面ファスナーであっても良い（請求項６）。これにより、各係止部及び各被係止部は、何度でも嵌め外しを繰り返すことができる。
【００１５】
また、請求項１乃至請求項６いずれか記載の表表紙は、背表紙を保持可能な光透過性のフィルムを貼り付けた背表紙部を有しても良い。（請求項７）。これにより、タイトル等を記載した背表紙を背表紙部が保持でき、且つ記載した文字等はフィルムの外側からでも見易いのでファイル保管時にファイル内に綴じた紙葉類の中身を使用者が容易に判別することができる。
【００１６】
また、請求項１乃至請求項７いずれか記載の背表紙部は、複数の手指状の窪みを有することが好ましい（請求項８）。これにより、ファイル保管時に紙葉類綴じ込みファイルの背表紙部に指が引っ掛かりやすくなるので、本棚等の保管場所から取り出し易くなる。
【００１７】
また、請求項１乃至請求項８いずれか記載の紙葉類綴じ込みファイルは、素材として廃プラスチックをリサイクル利用していることが好ましい（請求項９）。従って、廃プラスチックをリサイクル利用していることから環境に優しい上に、強度にも優れた紙葉類綴じ込みファイルを製造できる。
【００１８】
また、請求項１乃至請求項９いずれか記載の紙葉類綴じ込みファイルは、素材に導電性を付与するための材料を練り込んでいることが好ましい（請求項１０）。これにより、静電気が生じにくく、供給者及び使用者にとって扱いやすい紙葉類綴じ込みファイルを製造できる。
【００１９】
また、請求項１乃至請求項１０いずれか記載の紙葉類綴じ込みファイルは、着色した材料により成形していることが好ましい（請求項１１）。これにより、成形した紙葉類綴じ込みファイルの色によって、綴じ込んだ紙葉類を識別できる。また、表表紙と裏表紙とを異なる色で構成しても良い。これにより、デザイン性に富んだ紙葉類綴じ込みファイルを製造できる。
【００２０】
さらに、請求項２または請求項３記載の第１綴じ元部と第２綴じ元部は、綴じ紐の長さを調整するための綴じ紐調整部を有し、綴じ紐は、第１綴じ元部または第２綴じ元部から綴じ紐調整部まで何度も長さを調節することができるので（請求項１２）、綴じ込む紙葉類の厚さに対応して綴じ紐の長さを修正しながら固定することができる。
【考案の効果】
【００２１】
以上説明したように本考案の紙葉類綴じ込みファイルによれば、表表紙は第１綴じ元部から伸張された第１延設部を有し、裏表紙は一端が第１延設部を挿入可能な輪状部を形成している。これにより、表表紙の第１延設部を裏表紙に形成された輪上部に挿入するだけで、互いに分離している表表紙と裏表紙とを一体に組み合わす状態まで簡単に誘導できる。また、表表紙の第１延設部と裏表紙の他端の何れか一方には第１係止部が設けられ、他方には輪状部に挿入された第１延設部を係脱自在とする第１被係止部が設けられている。したがって、第１係止部と第１被係止部とを係止させることにより、互いに分離している表表紙と裏表紙とを完全に固定することができるので、紙葉類が厚くなり加重が加わった場合に表表紙と裏表紙とが分離してしまうことを防止できる。
【考案を実施するための最良の形態】
【００２２】
図１乃至図４は本考案の第１実施形態を示すもので、図１は紙葉類綴じ込みファイルを示す斜視図、図２は背表紙部を示す正面図、図３は手指状の窪みを示す断面図、図４は第１被係止部と第１係止部を示す断面図である。
【００２３】
本考案の紙葉類綴じ込みファイル１について、図面に基づいて説明する。図１に示すように、紙葉類綴じ込みファイル１は、表表紙１０と裏表紙２０とを主体として構成されている。
【００２４】
まず、表表紙１０の構造について説明する。表表紙１０は、図１に示すように、第１綴じ元部１１と、第１延設部１２と、背表紙部１３とから構成されている。第１綴じ元部１１は、側面に挿入孔１４ａ及び１４ｂが形成されている。第１延設部１２は、一端側に複数の第１被係止部１５が設けられている。背表紙部１３は、第１綴じ元部１１と第１延設部１２との間に設けられ、複数の手指状の窪み１６と複数の折り目１７が形成されている。また、背表紙部１３には、背表紙を保持可能な光透過性のフィルム１８が貼り付けられている。
【００２５】
手指状の窪み１６は、図２に示すように、等間隔に形成されていて、各手指状の窪み１６の間には折り目１７が設けられている。また、手指状の窪み１６のＡ−Ａ’における断面図の一部を図３（ａ）に示し、手指状の窪み１６のＢ−Ｂ’における断面図の一部を図３（ｂ）に示し、手指状の窪み１６のＣ−Ｃ’における断面図の一部を図３（ｃ）に示す。図３（ａ）乃至図３（ｂ）より、手指状の窪み１６は、Ａ−Ａ’からＣ−Ｃ’に向かって窪みの幅が狭くなるように形成されている。
【００２６】
次に、裏表紙２０の構造について説明する。裏表紙２０は、図１に示すように、第２綴じ元部２１と、輪状部２３とから構成されている。第２綴じ元部２１と輪状部２３は裏表紙２０の一端側にそれぞれ設けられ、第２綴じ元部２１の側面には複数の挿入孔２４が形成されている。また、裏表紙２０の他端側には、複数の第１係止部２５が設けられている。
【００２７】
上記のように構成された紙葉類綴じ込みファイル１の作用について説明する。  まず、第１延設部１２の一端側に設けられた第１被係止部１５と、裏表紙２０の他端側に設けられた第１係止部２５との係止方法について説明する。最初に、図１に示すように、第１延設部１２を輪状部２３に挿入して、互いに分離していた表表紙１０と裏表紙２０とを組み合わせる。次に、綴じ込む紙葉類の厚さに応じて輪状部２３に挿入する第１延設部１２の幅を調節する。そして、第１延設部１２の幅が調節できたら、図４に示すように、適当な第１被係止部１５と第１係止部２５とを係止する。
【００２８】
本実施形態に係る紙葉類綴じ込みファイル１によれば、表表紙１０は第１綴じ元部１１から伸張された第１延設部１２を有し、裏表紙２０は一端が第１延設部１２を挿入可能な輪状部２３を形成している。これにより、表表紙１０の第１延設部１２を裏表紙２０に形成された輪状部２３に挿入するだけで、互いに分離した表表紙１０と裏表紙２０とを一体に組み合わす状態まで簡単に誘導できる。
【００２９】
また、表表紙１０の第１延設部１２には第１被係止部１５が設けられ、裏表紙２０の他端側には複数の第１係止部２５が設けられている。したがって、第１係止部２５と第１被係止部１５とを係止させて、互いに分離している表表紙１０と裏表紙２０とを完全に固定することができる。これにより、紙葉類が厚くなり加重が加わった場合に表表紙と裏表紙とが分離してしまうことを防止できる。また、第１係止部２５と第１被係止部１５の係止する位置を適宜選択すれば、綴じ込む紙葉類の厚さに応じて紙葉類綴じ込みファイル１の厚さを紙葉類の厚さに応じて適宜変化させることができる。
【００３０】
また、第１綴じ元部１１は、表表紙１０との接合箇所付近が薄くなっている。したがって、第１綴じ元部１１は表表紙１０との接合箇所を軸として自由に曲げることが出来る。同様に第２綴じ元部２１は、輪状部２３との接合箇所付近が薄くなっている。したがって、第２綴じ元部２１は輪状部２３との接合箇所を軸として自由に曲げることが出来る。
【００３１】
さらに、背表紙部１３は、図１に示すように、折り目１７が設けられているので、紙葉類の量に応じて湾曲し易くなる。
【００３２】
図６乃至図９は本考案の第２実施形態を示すもので、図６は綴じ紐を示す正面図、図７は綴じ紐を第１綴じ元部の側面に設けられた挿入孔に挿入することを示す斜視図、図８は綴じ紐が第１綴じ元部に挿入されたことを示す平面図、図９は綴じ紐が第２綴じ元部に係止されたことを示す斜視図である。
【００３３】
第１実施形態の紙葉類綴じ込みファイル１は、第１延設部１２の一端側に設けられた第１被係止部１５と、裏表紙２０の端部に設けられた第１係止部２５とを係止することにより、綴じる紙葉類の厚みに対応できるようにしたが、第２実施形態である紙葉類綴じ込みファイル１は、第１綴じ元部１１の側面に設けられた挿入孔１４ａに挿入される綴じ紐３０と、第２綴じ元部２１とを係止することにより、綴じる紙葉類の厚みに対応できるようにした点で異なる。
【００３４】
まず、綴じ紐３０の構造について説明する。綴じ紐３０は、図６に示すように、ストッパー３１と、帯状部３２とから構成され、帯状部３２の一部には第２被係止部３３が設けられている。
【００３５】
次に、綴じ紐３０と第１綴じ元部１１の側面に設けられた挿入孔１４ａとの関係について説明する。綴じ紐３０のストッパー３１は、図６に示すように、幅Ｘ１、高さＹ１で構成されている。また、第１綴じ元部１１の側面に設けられた挿入孔１４ａは、図７（ａ）に示すように、幅Ｘ２、高さＹ２で構成されている。このとき、幅Ｘ１は、幅Ｘ２よりわずかに短く、且つ高さＹ２より長い。
【００３６】
続いて、綴じ紐３０が、第１綴じ元部１１の側面に設けられた挿入孔１４ａに挿入される過程について説明する。まず、図７（ａ）に示すように、挿入孔１４ａに綴じ紐３０のストッパー３１を挿入する。次に、図７（ｂ）に示すように、挿入孔１４ａに挿入したストッパー３１を９０度反時計回り（矢印の方向）に回転させる。以上により、挿入孔１４ａにストッパー３１が引っ掛かるので、挿入孔１４ａから綴じ紐３０が抜けないように留めることができる。さらに、図７（ｃ）に示すように、綴じ紐３０の帯状部３２を矢印の方向に折り曲げた後に、図８に示すように、挿入孔１４ａの隣に設けた挿入孔１４ｃに帯状部３２を挿入すれば、綴じ紐３０は挿入孔１４ａに確実に留めることができる。
【００３７】
さらに、上記のように挿入孔１４ａに挿入した綴じ紐３０に設けられた第２被係止部３３を第２綴じ元部２１に係止する方法について説明する。まず、綴じ紐３０の帯状部３２を、図９に示すように、第２綴じ元部２１の挿入孔２４に挿入する。そして、第２綴じ元部２１に設けられた第２係止部３５と、帯状部３２に設けられた第２被係止部３３とを係止する。このとき、押さえ板３４が綴じ紐３０を第２綴じ元部２１側に押さえつけている。
【００３８】
本実施形態に係る紙葉類綴じ込みファイル１によれば、第２係止部３５と第２被係止部３３とを係止させることにより、第１綴じ元部１１と第２綴じ元部２１との間隔を完全に固定することができる上に、押さえ板３４で綴じ紐３０が第２綴じ元部２１から抜けないようにしたので、紙葉類が厚くなり加重が加わった場合に綴じ紐から紙葉類が抜け落ちてしまうことを防止できる。また、第２綴じ元部２１に設けられた第２係止部３５に係止する帯状部３２に設けられた第２被係止部３３を適宜選択すれば、綴じ込む紙葉類の厚さに応じて第１綴じ元部１１と第２綴じ元部２１との間隔を適宜調節できるので、紙葉類綴じ込みファイル１の厚さを紙葉類の厚さに応じて適宜変化させることができる。第２係止部３５に係止する第２被係止部３３を適宜選択することは何度でも行える。なお、その他の構成、作用は前記第１実施形態と同様である。
【００３９】
図１０は本考案の第３実施形態を示すもので、図１０は綴じ紐と第２綴じ元部とを示す平面図である。
【００４０】
第２実施形態の紙葉類綴じ込みファイル１は、第１綴じ元部１１の側面に設けられた挿入孔１４ａに挿入される綴じ紐３０と、第２綴じ元部２１とを係止した上に、押さえ板３４で綴じ紐３０を押さえることにより、綴じ紐３０が第２綴じ元部２１から抜けないようにしたが、第３実施形態はである紙葉類綴じ込みファイル１は、スライダー３６で第２係止部３５と第２被係止部３３とを確実に係止し、且つスライダー３６によって綴じ紐３０が第２綴じ元部２１から抜けないようにした点で異なる。
【００４１】
まず、第２綴じ元部２１について説明する。図１０（ａ）に示すように、第２綴じ元部２１は、スライダー３６、スライダー用バー３７、及び第２係止部３５を有する。
【００４２】
続いて、綴じ紐３０に設けられた第２被係止部３３を第２綴じ元部２１に係止する方法について説明する。まず、綴じ紐３０に設けられた第２被係止部３３と第２綴じ元部２１に設けられた第２係止部３５とを係止する。そして、図１０（ｂ）に示すように、スライダー３６を矢印の方向に向かってスライダー用バー３７上でスライドさせ（矢印の方向）、第２係止部３５と第２被係止部３３とを完全に係止させる。
【００４３】
本実施形態に係る紙葉類綴じ込みファイル１によれば、スライダー３６をスライダー用バー３７上でスライドさせることによって、第２係止部３５と第２被係止部３３とを完全に係止させることができる。その上、スライダー３６によって綴じ紐３０が第２綴じ元部２１から抜けないので、紙葉類が厚くなり加重が加わった場合に綴じ紐３０から紙葉類が抜け落ちてしまうことを防止できる。なお、その他の構成、作用は前記第２実施形態と同様である。
【００４４】
図１１乃至図１３は本考案の第４実施形態を示すもので、図１１は第２綴じ元部を示す斜視図、図１２は第２綴じ元部と綴じ紐を示す斜視図、図１３は第２綴じ元部と綴じ紐を示す平面図である。
【００４５】
第３実施形態である紙葉類綴じ込みファイル１は、綴じ紐３０が外れないようにスライダー３６で第２係止部３５と第２被係止部３３とを確実に係止し、且つスライダー３６によって綴じ紐３０が第２綴じ元部２１から抜けないようにしたが、第４実施形態である紙葉類綴じ込みファイル１は、綴じ紐４０のストッパー４１に貫通孔４２を設け、この貫通孔４２を第２綴じ元部に設けた凸部３８に引っ掛けることで、綴じ紐４０と凸部３８とを確実に係止した点で異なる。
【００４６】
凸部３８は、図１１に示すように、引っ掛かり部４４を有している。また、綴じ紐４０は、図１２に示すように、ストッパー４１と帯状部３２とを有し、ストッパー４１には貫通孔４２と滑り止め部４３とが形成されている。
【００４７】
これら凸部３８の幅Ｘ３と綴じ紐４０のストッパー４１に設けられた貫通孔４２との関係を、図１３を用いて説明する。ストッパー４１に設けられた貫通孔４２の幅は、凸部３８の幅Ｘ３より若干狭く形成している。
【００４８】
本実施形態に係る紙葉類綴じ込みファイル１によれば、ストッパー４１に設けた貫通孔４２の幅を凸部３８の幅Ｘ３より若干狭く形成することで、綴じ紐４０は確実に凸部３８に引っ掛かり、且つ綴じ紐４０のストッパー４１が凸部３８から外れることが防げるので、紙葉類が厚くなり加重が加わった場合に綴じ紐３０から紙葉類が抜け落ちてしまうことを防止できる。また、綴じ紐４０が滑り止め部４３を有することにより、凸部３８に綴じ紐４０を引っ掛ける際の指の滑りを防止できる。なお、その他の構成、作用は前記第３実施形態と同様である。
【００４９】
尚、第１実施形態乃至第４実施形態の紙葉類綴じ込みファイル１は、図１４に示すように、第２延設部２２を有していても良い。この第２延設部２２は、折り目２６で第２綴じ元部２１側に折り返され、綴じ込む紙葉類の厚さに応じて第２延設部２２と第１延設部１２の幅を調節する。そして、第２延設部２２と第１延設部１２の幅が調節できたら、図５に示すように、適当な第１被係止部１５と第１係止部２５とを係止する。これにより、互いに分離している表表紙１０と裏表紙２０とが完全に固定されて、紙葉類が厚くなり加重が加わった場合に表表紙１０と裏表紙２０とが分離してしまうことを防止できる。また、薄い素材から形成された紙葉類綴じ込みファイル１であっても、第２延設部２２を第２綴じ元部側に折り返すことで、強度を持たせることができる。
【００５０】
また、第１実施形態乃至第４実施形態の紙葉類綴じ込みファイル１は、図１５に示すように、第１延設部１２の一端側に面取り部１９を有していても良い。これにより、第１被係止部１５と第１係止部２５とを係止する際に力が加えやすくなるので、第１被係止部１５と第１係止部２５とを完全に係止することができる。尚、この面取り部１９の角は、丸みを帯びていても良い。そして、面取り部１９の角と同様に、第１実施形態乃至第４実施形態の紙葉類綴じ込みファイル１の角の少なくとも１箇所以上が丸みを帯びていても良い。
【００５１】
また、第１実施形態乃至第４実施形態の紙葉類綴じ込みファイル１の第１被係止部１５は円形状であるが、図１５に示すように、第１被係止部２７は第１綴じ元部１１又は第２綴じ元部２１に平行な長円形状であっても良い。これにより、円形状の第１被係止部１５では上手く係止できない場合でも、長円形状の第１被係止部２７を採用すれば、紙葉類綴じ込みファイル１を成形する素材の膨張収縮率を活用して円形状の第１係止部２８を第１被係止部２７に確実に係止することができる。尚、図１５に示す紙葉類綴じ込みファイル１は、面取り部１９と長円形状の第１被係止部２７とを兼ね備えているが、一方のみを備えていても良い。
【００５２】
また、第１実施形態乃至第４実施形態の紙葉類綴じ込みファイル１の成型方法が射出成形の場合には、図１６に示すように、第１綴じ元部１１が表表紙１０と背表紙部１３とを一体化して成形することが好ましい。また、第１実施形態乃至第４実施形態の紙葉類綴じ込みファイル１は、図１７に示すように、別部材としての第１綴じ元部１１を表表紙１０と背表紙部１３に溶着して成形しても良い。尚、図１６及び図１７には第１綴じ元部１１について記載したが、第２綴じ元部２１についても輪状部２３に対して同様に成形しても良い。
【００５３】
また、第１実施形態乃至第４実施形態の紙葉類綴じ込みファイル１は、第１係止部２５が凹状又は貫通孔の形状をした被係止部であっても良いし、且つ第１被係止部１５が凸状の係止部であっても良い。同様に、第２係止部３５が凹状又は貫通孔の形状をした被係止部であっても良いし、且つ第２被係止部３３が凸状の係止部であっても良い。そして、各係止部と被係止部は、互いに噛み合う無数の鉤と輪とで構成された面ファスナーであっても良い。
【００５４】
また、第１実施形態乃至第４実施形態の紙葉類綴じ込みファイル１は、表表紙１０の第１延設部１２と裏表紙２０の他端とが係止される場合と、綴じ紐３０と第１綴じ元部１１若しくは第２綴じ元部２１とが係止される場合とを分けて記載したが、これら２つの場合を組み合わせて係止する紙葉類綴じ込みファイル１であっても良い。このとき、第１係止部２５と第１被係止部１５とを係止させることにより、互いに分離している表表紙１０と裏表紙２０とを完全に固定することができるので、紙葉類が厚くなり加重が加わった場合に表表紙１０と裏表紙２０とが分離してしまうことを防止でき、且つ、第２係止部３５と第２被係止部３３とを係止させることにより、綴じ紐３０と第１綴じ元部１１若しくは第２綴じ元部２１とを完全に固定することができるので、紙葉類が厚くなり加重が加わった場合に綴じ紐３０から紙葉類が抜け落ちてしまうことを防止できる。
【００５５】
また、第１実施形態乃至第４実施形態の紙葉類綴じ込みファイル１は、第１綴じ元部１１に６箇所の孔を貫通させ、第２綴じ元部２１に２箇所の孔を貫通させたものであっても良い。この場合は、２箇所の孔が貫通した第２綴じ元部２１に綴じ紐３０を挿入する。そして、第１綴じ元部１１に貫通した６箇所の孔の何れかに綴じ紐３０を挿入した後、係止する。また、第１綴じ元部１１又は第２綴じ元部２１に６箇所の孔を貫通させたが、４箇所以上であれば何箇所貫通させても良い。
【００５６】
また、第１実施形態乃至第４実施形態の紙葉類綴じ込みファイル１は、第１綴じ元部１１に２箇所の孔に綴じ紐３０を挿入するが、第１綴じ元部１１に予め綴じ紐用バーを固定して設けていても良い。
【００５７】
また、第１実施形態乃至第４実施形態の紙葉類綴じ込みファイル１は、廃プラスチックをリサイクル利用した素材により成形することが好ましい。これにより、廃プラスチックをリサイクル利用していることから環境に優しい上に、強度にも優れた紙葉類綴じ込みファイル１を製造できる。尚、廃プラスチックをリサイクル利用した素材で紙葉類綴じ込みファイル１を成形するときには、体積が２倍になるように発泡させた素材で成形しても良い。これにより、素材の使用量が低減可能なので、紙葉類綴じ込みファイル１は低コストで生産できる。また、発泡させることにより、紙葉類綴じ込みファイル１自体の軽量化に繋がるので、供給者及び使用者にとって持ち運びし易い紙葉類綴じ込みファイル１が製造できる。
【００５８】
また、第１実施形態乃至第４実施形態の紙葉類綴じ込みファイル１は、導電性を付与するための材料を練り込んだ素材により成形することが好ましい。これにより、静電気が生じにくく、供給者及び使用者にとって扱いやすい紙葉類綴じ込みファイル１を製造できる。
【００５９】
さらに、第１実施形態乃至第４実施形態の紙葉類綴じ込みファイル１は、着色した材料により成形しても良い。これにより、成形した紙葉類綴じ込みファイル１の色によって、綴じ込んだ紙葉類を識別できる。また、表表紙１０と裏表紙２０とを異なる色で構成しても良い。これにより、デザイン性に富んだ紙葉類綴じ込みファイル１を製造できる。尚、紙葉類綴じ込みファイル１を色付けする方法として、紙葉類綴じ込みファイル１を着色したシート材等で覆っても良い。この一例として、図１８には、着色したシート材４５で覆った紙葉類綴じ込みファイル１の表表紙１０を示す。
【図面の簡単な説明】
【００６０】
【図１】本考案の第１実施形態に係る紙葉類綴じ込みファイルを示す斜視図
【図２】第１実施形態に係る背表紙部を示す正面図
【図３】第１実施形態に係る手指状の窪みを示す断面図
【図４】第１実施形態に係る第１被係止部と第１係止部を示す断面図
【図５】本考案の第１被係止部と第１係止部を示す断面図
【図６】本考案の第２実施形態に係る綴じ紐を示す正面図
【図７】第２実施形態に係る綴じ紐を第１綴じ元部の側面に設けられた挿入孔に挿入することを示す斜視図
【図８】第２実施形態に係る綴じ紐が第１綴じ元部に挿入されたことを示す平面図
【図９】第２実施形態に係る綴じ紐が第２綴じ元部に係止されたことを示す斜視図
【図１０】本考案の第３実施形態に係る綴じ紐と第２綴じ元部とを示す平面図
【図１１】本考案の第４実施形態に係る第２綴じ元部を示す斜視図
【図１２】第４実施形態に係る第２綴じ元部と綴じ紐を示す斜視図
【図１３】第４実施形態に係る第２綴じ元部と綴じ紐を示す平面図
【図１４】本考案の紙葉類綴じ込みファイルを示す斜視図
【図１５】本考案の紙葉類綴じ込みファイルを示す斜視図
【図１６】本考案の第１綴じ元部を示す斜視図
【図１７】本考案の第１綴じ元部を示す斜視図
【図１８】本考案の着色されたシート材で覆われた表表紙を示す断面図
【符号の説明】
【００６１】
１…紙葉類綴じ込みファイル、１０…表表紙、１１…第１綴じ元部、１２…第１延設部、１３…背表紙部、１５…第１被係止部、２０…裏表紙、２１…第２綴じ元部、２２…第２延設部、２５…第１係止部。
【図１】
0003106191.tif 000003
【図２】
0003106191.tif 000004
【図３】
0003106191.tif 000005
【図４】
0003106191.tif 000006
【図５】
0003106191.tif 000007
【図６】
0003106191.tif 000008
【図７】
0003106191.tif 000009
【図８】
0003106191.tif 000010
【図９】
0003106191.tif 000011
【図１０】
0003106191.tif 000012
【図１１】
0003106191.tif 000013
【図１２】
0003106191.tif 000014
【図１３】
0003106191.tif 000015
【図１４】
0003106191.tif 000016
【図１５】
0003106191.tif 000017
【図１６】
0003106191.tif 000018
【図１７】
0003106191.tif 000019
【図１８】
0003106191.tif 000020